(57)【要約】  空気調和装置は、１次側冷媒を圧縮する圧縮機と、空気と１次側冷媒との間で熱交換を行う熱源側熱交換器とを備えた室外ユニットと、空気と２次側冷媒との間で熱交換を行う室内熱交換器を備えた複数の室内ユニットと、室外ユニットに１次側冷媒配管により接続されているとともに室内ユニットに２次側冷媒配管により接続された、１次側冷媒と２次側冷媒との間で熱交換を行う複数の中間熱交換器と、各室内ユニットと各中間熱交換器との接続の組み合わせを切り替える流路切替器とを有している。複数の室内ユニットには、対流式室内熱交換器を備えた対流式室内ユニットと、放射式室内熱交換器を備えた放射式室内ユニットとが含まれている。
2014024276.tif 000002
【特許請求の範囲】
【請求項１】
１次側冷媒を圧縮する圧縮機と、空気と前記１次側冷媒との間で熱交換を行う熱源側熱交換器とを備えた室外ユニットと、
空気と２次側冷媒との間で熱交換を行う室内熱交換器を備えた複数の室内ユニットと、
前記室外ユニットに１次側冷媒配管により接続されているとともに前記室内ユニットに２次側冷媒配管により接続された、前記１次側冷媒と前記２次側冷媒との間で熱交換を行う複数の中間熱交換器と、
前記各室内ユニットと前記各中間熱交換器との接続の組み合わせを切り替える流路切替器と、
を有し、
前記複数の室内ユニットには、対流式室内熱交換器を備えた対流式室内ユニットと、放射式室内熱交換器を備えた放射式室内ユニットとが含まれている
ことを特徴とする空気調和装置。
【請求項２】
前記複数の室内ユニットが、熱交換器として前記対流式室内熱交換器のみを備えた対流式室内ユニットと、放射式室内熱交換器のみを備えた放射式室内ユニットとを含むものであることを特徴とする請求項１に記載の空気調和装置。
【請求項３】
前記複数の対流式室内ユニットがそれぞれ冷媒配管により並列に接続されており、
前記複数の放射式室内ユニットがそれぞれ冷媒配管により並列に接続されており、
前記複数の放射式室内ユニットが前記２次側冷媒の流れに対して前記複数の対流式室内ユニットの下流側となるように接続されることを特徴とする請求項１または請求項２に記載の空気調和装置。
【請求項４】
前記複数の室内ユニットが、前記対流式室内熱交換器および放射式室内熱交換器の双方を備えた対流放射式室内ユニットを含むものであり、
前記対流放射式室内ユニットは、前記２次側冷媒の流れに対して前記複数の対流式室内ユニットの上流側となるように接続されることを特徴とする請求項１から請求項３のいずれか１項記載の空気調和装置。
【請求項５】
前記中間ユニットから前記複数の対流式熱交換器をバイパスして前記複数の放射式室内熱交換器へ前記２次側冷媒を供給するための配管及び弁をさらに有することを特徴とする請求項１から請求項４のいずれか１項に記載の空気調和装置。
【請求項６】
前記複数の室内ユニットが、前記対流式室内ユニット及び前記放射式室内ユニットに代えて熱交換器として前記対流式室内熱交換器および前記放射式室内熱交換器の双方を備えた対流放射式室内ユニットのみからなるものであることを特徴とする請求項１に記載の空気調和装置。
【請求項７】
前記対流式熱交換器がダクト内に設置されており、前記ダクト内であって前記対流式熱交換器から送風される空気の下流側に前記放射式室内熱交換器が配置されていることを特徴とする請求項４または請求項６に記載の空気調和装置。
【発明の詳細な説明】
【技術分野】
【０００１】
この発明は、複数の室内側ユニットを有し、冷暖房同時運転が可能なビル用マルチエアコン等の空気調和装置に関するものである。
【背景技術】
【０００２】
ビルや家等に設置される空気調和装置の室内機には、送風機により強制的に熱交換を行う対流式（送風式）熱交換器の他に、送風機による送風を行わない自然対流により熱交換を行う放射式（輻射式）熱交換器が存在する。対流式熱交換器は急冷が可能であるが、直接の送風により人に不快感等を与えてしまうおそれがある。放射式室内熱交換器は、直接の送風なしに冷暖房運転を行うことが可能であるが、急速な冷暖房運転を行うことができない。そこで、輻射式熱交換器と対流し熱交換器との双方を有する冷暖房システムが提案されている（たとえば特許文献１参照）。特許文献１には、床側に輻射式熱交換器が配置されるとともに天井側に対流式熱交換器が配置された構成を有し、輻射式熱交換器と対流式熱交換器とを直列に配置して冷媒を循環させる冷暖房システムが開示されている。【０００３】
ところで、室外機と室内機とを直接冷媒を接続させるのではなく、１次側冷媒回路と２次側冷媒回路とを設け、１次側冷媒回路と２次側冷媒回路との間で中間熱交換器を用いて熱交換を行う空気調和装置が提案されている（たとえば特許文献２参照）。特許文献２においては、全冷房運転、全暖房運転、暖房主体運転、冷房主体運転の主として４つの運転モードが用意されており、部屋等の状況に合わせて送風機を有する対流型熱交換器を用いた各室内ユニットの運転モードを個別に設定することができるようになっている。
【先行技術文献】
【特許文献】
【０００４】
【特許文献１】特開平１０−３８３２４号公報
【特許文献２】国際公開第２０１０／１１３２９６号
【発明の概要】
【発明が解決しようとする課題】
【０００５】
しかし、特許文献１においては、１台の輻射熱交換部と１台の送風熱交換部とが接続された冷暖房システムが開示されているが、ビル等の建物全体の冷房暖房運転を行うような場合、特許文献２に示すような複数の室内ユニットが必要となる。一方で、特許文献２に示すように、対流式熱交換器を用いた場合のみならず、輻射式熱交換器を用いた室内ユニットを適宜配置して部屋の状況等に合致した快適な空調を提供することが望ましい。【０００６】
本発明は、上記のような問題点を解決するためになされたものであり、ビル等の建物内の各部屋の用途・配置に合わせて快適な空調を行うことができる空気調和装置を提供することを目的としている。
【課題を解決するための手段】
【０００７】
本発明に係る空気調和装置は、冷媒を圧縮する圧縮機と、空気と１次側冷媒との間で熱交換を行う熱源側熱交換器とを備えた室外ユニットと、空気と２次側冷媒との間で熱交換を行う室内熱交換器を備えた複数の室内ユニットと、室外ユニットに１次側冷媒配管により接続されているとともに室内ユニットに２次側冷媒配管により接続された、１次側冷媒と２次側冷媒との間で熱交換を行う複数の中間熱交換器と、各室内ユニットと各中間熱交換器との接続の組み合わせを切り替える熱媒体流路切替器とを有している。複数の室内ユニットには、対流式室内熱交換器を備えた対流式室内ユニットと、放射式室内熱交換器を備えた放射式室内ユニットとが含まれたものである。
【発明の効果】
【０００８】
本発明に係る空気調和装置は、室内ユニットに対流式熱交換器と放射式室内熱交換器とを備えた空調システムであり、対流式の空調システムと放射式の空調システムとの両システムを設置するよりもはるかに省スペースかつ省エネルギーに、部屋それぞれの用途や負荷に合わせた空調を行うことができる。
【図面の簡単な説明】
【０００９】
【図１】本発明の空気調和装置の実施形態１を示す冷媒回路図である。
【図２】図１の空気調和装置の全冷房運転モード時における１次側冷媒及び２次側冷媒の流れを示す冷媒回路図である。
【図３】図１の空気調和装置の全暖房運転モード時における１次側冷媒及び２次側冷媒の流れを示す冷媒回路図である。
【図４】図１の空気調和装置の冷房主体運転モード１における１次側冷媒及び２次側冷媒の流れを示す冷媒回路図である。
【図５】図１の空気調和装置の冷房主体運転モード２における１次側冷媒及び２次側冷媒の流れを示す冷媒回路図である。
【図６】図１の空気調和装置１の暖房主体運転モード１における１次側冷媒及び２次側冷媒の流れを示す冷媒回路図である。
【図７】図１の空気調和装置１の暖房主体運転モード２における１次側冷媒及び２次側冷媒の流れを示す冷媒回路図である。
【図８】本発明の空気調和装置の実施形態２を示す冷媒回路図である。
【図９】図８の空気調和装置の全冷房運転モードにおける１次側冷媒及び２次側冷媒の流れを示す冷媒回路図である。
【図１０】図８の空気調和装置の全暖房運転モードにおける１次側冷媒及び２次側冷媒の流れを示す冷媒回路図である。
【図１１】図８の空気調和装置の冷房主体運転モードにおける１次側冷媒及び２次側冷媒の流れを示す冷媒回路図である。
【図１２】図８の空気調和装置の暖房主体運転モードにおける１次側冷媒及び２次側冷媒の流れを示す冷媒回路図である。
【図１３】図８の空気調和装置の室内ユニットの設置例を示す図である。
【図１４】図８の空気調和装置の室内ユニットの設置例を示す図である。
【図１５】図８の空気調和装置の室内ユニットの設置例を示す図である。
【図１６】本発明の空気調和装置の実施形態３を示す冷媒回路図である。
【発明を実施するための形態】
【００１０】
実施形態１．
図１は本発明の空気調和装置の実施形態１を示す冷媒回路図である。図１で示されるように、空気調和装置１は、ユニット単位で考えた場合、熱源機である室外ユニット１Ａ、複数台の室内ユニットＣ１ｎ、Ｃ２ｍ（以下、区別なく称する場合、単に室内ユニットＣというものとする）、中間ユニット１Ｂにより構成されている。なお、ｍ、ｎは１以上の自然数であって、ｍは放射式室内熱交換器の台数、ｎは対流式室内熱交換器の台数をそれぞれ示す。実施形態１においてはｍ＝３、ｎ＝３の場合について例示する。室外ユニット１Ａと中間ユニット１Ｂとは第１冷媒配管により接続されており、中間ユニット１Ｂと複数の室内ユニットＣとはそれぞれ第２冷媒配管により接続されている。そして、室外ユニット１Ａで生成された冷熱又は温熱は、中間ユニット１Ｂを介して室内ユニットＣ１ｎ、Ｃ２ｍに伝達されるようになっている。
【００１１】
（室外ユニット１Ａの構成）
室外ユニット１Ａは、通常、ビルの屋上等の外の空間に設置され、中間ユニット１Ｂを介して室内ユニットＣ１ｎ、Ｃ２ｍに冷熱又は温熱を供給するものである。室外ユニット１Ａは、圧縮機１０３、熱源側熱交換器１０４、第１流路切替器１０６を備えている。圧縮機１０３は、ガス状態の１次側冷媒を吸入し、圧縮して高温高圧の状態にして吐出するものであり、例えば、容量制御可能なインバーター圧縮機等で構成されている。熱源側熱交換器１０４は、冷房運転時には放熱器として、暖房運転時には蒸発器として機能し、ファン１０４ａから供給される室外空気と１次側冷媒との間で熱交換を実施するものである。
【００１２】
第１流路切替器１０６はたとえば四方弁からなっており、冷房運転（全冷某運転モード及び冷房主体運転モード）時と暖房運転（全暖房運転モード及び暖房主体運転モード）時とにおいて１次側冷媒の流れを切り替えるものである。具体的には、冷房運転時には、第１流路切替器１０６は、圧縮機１０３から吐出された１次側冷媒が熱源側熱交換器１０４へ流れるとともに、中間ユニット１Ｂから流出した１次側冷媒が圧縮機１０３へ流れるように冷媒流路を切り替える。また、暖房運転時には、第１流路切替器１０６は、圧縮機１０３から吐出された１次側冷媒が中間ユニット１Ｂへ流れるとともに、熱源側熱交換器１０４から流出した１次側冷媒が圧縮機１０３へ流れるように冷媒流路を切り替える。
【００１３】
４つの逆止弁１１３ａ〜１１３ｄは、室外ユニット１Ａと中間ユニット１Ｂとの間を流通する１次側冷媒の流通方向を一定方向にする機能を有するものである。逆止弁１１３ａは、第１流路切替器１０６と、バルブ１１１ｃ、１１１ｄとを接続する冷媒配管に設けられ、バルブ１１１ｃ、１１１ｄから第１流路切替器１０６へ向かう方向のみに１次側冷媒を流通させる。逆止弁１１３ｂは、熱源側熱交換器１０４とバルブ１１１ｅとを接続する冷媒配管に設けられ、熱源側熱交換器１０４からバルブ１１１ｅへ向かう方向のみに１次側冷媒を流通させる。逆止弁１１３ｃは、第１流路切替器１０６と逆止弁１１３ａとを接続する冷媒配管と、逆止弁１１３ｂとバルブ１１１ｅとを接続する冷媒配管とを接続する冷媒配管に設けられ、第１流路切替器１０６と逆止弁１１３ａとを接続する冷媒配管側から、逆止弁１１３ｂとバルブ１１１ｅとを接続する冷媒配管側へ向かう方向のみに１次側冷媒を流通させる。逆止弁１１３ｄは、逆止弁１１３ａと、バルブ１１１ｃ、１１１ｄとを接続する冷媒配管と、熱源側熱交換器１０４と逆止弁１１３ｂとを接続する冷媒配管とを接続する冷媒配管に設けられ、逆止弁１１３ａと、バルブ１１１ｃ、１１１ｄとを接続する冷媒配管側から、熱源側熱交換器１０４と逆止弁１１３ｂとを接続する冷媒配管側へ向かう方向のみに１次側冷媒を流通させる。
【００１４】
（中間ユニット１Ｂの構成）
中間ユニット１Ｂは、たとえば室外ユニット１Ａ及び室内ユニットＣとは別筐体として、室外空間及び室内空間とは別の位置等に設置されるものであり、室外ユニット１Ａおよび室内ユニットＣにそれぞれ第１冷媒配管および第２冷媒配管を介して接続されたものである。中間ユニット１Ｂは、中間熱交換器１０７ａ、１０７ｂ、絞り機構１０５ａ、１０５ｂ、ポンプ１０９ａ、１０９ｂ、及び、バルブ１１１ａ〜１１１ｆ、１１２ｎａ〜１１２ｎｄ、１１５ｍａ〜１１５ｍｄ、１１４ａ〜１１４ｄを備えている。中間ユニット１Ｂは、室外ユニット１Ａに対し絞り機構１０５ａ、１０５ｂおよびバルブ１１１ａ〜１１１ｆを介して第１冷媒配管により接続されている。一方、中間ユニット１Ｂは、各室内ユニットＣ１ｎ、Ｃ２ｍに対し各ポンプ１０９ａ、１０９ｂおよびバルブ１１２ｎａ〜１１２ｎｄ、１１５ｍａ〜１１５ｄｍ、１１４ａ〜１１４ｄを介して複数の室内ユニットＣにそれぞれ接続されている。
【００１５】
中間熱交換器１０７ａ、１０７ｂは、例えば、二重管熱交換器、プレート式熱交換器、マイクロチャネル式水熱交換器又はシェルアンドチューブ式熱交換器等で構成されており、１次側冷媒が流通する冷媒流路と２次側冷媒が流通する冷媒流路とを備えている。そして、中間熱交換器１０７ａ、１０７ｂは放熱器又は蒸発器として機能して１次側冷媒と２次側冷媒との熱交換を実施する。つまり、１次側冷媒回路２を循環する１次側冷媒と、２次側冷媒回路３を循環する２次側冷媒とが中間熱交換器１０７ａ及び１０７ｂにより熱交換されるようになっている。
【００１６】
中間熱交換器１０７ａは、１次側冷媒回路２側の絞り機構１０５ａとバルブ１１１ｃとの間に、かつ２次側冷媒回路３側のバルブ１１４ａとポンプ１０９ａの間に設けられている。また、中間熱交換器１０７ｂは、１次側冷媒回路２側の絞り機構１０５ｂとバルブ１１１ｄとの間に、かつ２次側冷媒回路３側のバルブ１１４ｂとポンプ１０９ｂの間に設けられている。なお、中間熱交換器１０７ａ、１０７ｂがプレート式熱交換器からなる場合、１次側冷媒の相変化を考慮し、１次側冷媒が吸熱するときに１次側冷媒が下側から流入し、１次側冷媒が放熱するときに１次側冷媒が上側から流入する向きに設置するとよい。
【００１７】
絞り機構１０５ａ、１０５ｂは、例えば電子式膨張弁等の開度（開口面積）が可変に制御可能なもので構成されており、１次側冷媒回路２の１次側冷媒を減圧及び膨張させる減圧・膨張弁としての機能を有するものである。絞り機構１０５ａは、中間熱交換器１０７ａとバルブ１１１ｅとの間に設けられており、絞り機構１０５ｂは、中間熱交換器１０７ｂとバルブ１１１ｅとの間に設けられている。
【００１８】
各第３流路切替器１１１ａ〜１１１ｆはそれぞれたとえば二方弁で構成されており、１次側冷媒回路２において、第１冷媒配管から中間熱交換器１０７ａ、１０７ｂに流出入する１次側冷媒の流路を切り替えるものである。具体的には、バルブ１１１ａは、中間熱交換器１０７ａとバルブ１１１ｃとを接続する冷媒配管と、バルブ１１１ｂと逆止弁１１３ｂ（又はバルブ１１１ｆ）とを接続する冷媒配管とを接続する冷媒配管に設けられたものである。バルブ１１１ｂは、中間熱交換器１０７ｂとバルブ１１１ｄとを接続する冷媒配管と、バルブ１１１ａと逆止弁１１３ｂ（又はバルブ１１１ｆ）とを接続する冷媒配管とを接続する冷媒配管に設けられたものである。バルブ１１１ｃは、逆止弁１１３ａと中間熱交換器１０７ａとを接続する冷媒配管に設けられたものである。バルブ１１１ｄは、逆止弁１１３ａと中間熱交換器１０７ｂとを接続する冷媒配管に設けられたものである。バルブ１１１ｅは、絞り機構１０５ａ（又は絞り機構１０５ｂ）と逆止弁１１３ａとを接続する冷媒配管に設けられたものである。バルブ１１１ｆは、逆止弁１１３ａと逆止弁１１３ｂとをバイパスルする冷媒配管に設けられたものである。なお、４つのバルブ１１１ａ〜１１１ｄに代えて各中間熱交換器１０７ａ、１０７ｂにそれぞれ設けられた２つの四方弁を設けてもよい。
【００１９】
ポンプ１０９ａ、１０９ｂは、２次側冷媒回路３内において２次側冷媒を圧送して循環させるものであり、例えば、容量制御可能なポンプ等で構成されている。ポンプ１０９ａの吸入側は中間熱交換器１０７ａに接続されており、吐出側は分岐して複数のバルブ１１２ｎａに接続されている。一方、ポンプ１０９ｂの吸入側は中間熱交換器１０７ｂに接続されており、吐出側は分岐して複数のバルブ１１２ｎｂに接続されている。
【００２０】
第２流路切替器は、バルブ１１２ｎａ〜１１２ｎｄ、１１４ａ〜１１４ｄ、１１５ｍａ〜１１５ｍｄを有している。バルブ１１２ｎａ、１１２ｎｂ、１１２ｎｃ、１１２ｎｄはそれぞれ各対流式室内ユニットＣ１ｎの対流式室内熱交換器１０８ｎに送り込む２次側冷媒流路を切り替えるものである。また、バルブ１１５ｍａ、１１５ｄｍ、１１４ａ、１１４ｂは放射式室内ユニットＣ２ｍの室内熱交換器１１６ｍに送り込む２次側冷媒流路を切り替えるものである。これらのバルブ１１２ｎａ〜１１２ｎｄ、１１５ｍａ〜１１５ｍｄは、開度（開口面積）を調整することによって、室内熱交換器１０８ｎ、１１６ｍに流れる２次側冷媒の流量が制御される。
【００２１】
（室内ユニットＣ１ｎ、Ｃ２ｍの構成）
空気調和装置１は対流式室内熱交換器１０８ｎのみを備えた対流式室内ユニットＣ１ｎと、放射式室内熱交換器１１６ｍのみを備えた放射式室内ユニットＣ２ｍとを備えている。対流式室内ユニットＣ１ｎは、それぞれ対流式室内熱交換器１０８ｎと送風機１０８ｎａとを備えており、室内空間に対して冷房動作又は暖房動作を行って空調を実施するものである。対流式室内熱交換器１０８ｎは、暖房動作時には放熱器として機能し、冷房動作時には蒸発器として機能する。対流式室内熱交換器１０８ｎは送風機から供給される室内空気と２次側冷媒との間で熱交換を実施し、室内空間に供給するための暖房用空気又は冷房用空気を生成する。対流式室内熱交換器１０８ｎは、一方の側に接続された冷媒配管は、分岐して、それぞれバルブ１１２ｎａ、１１２ｎｂに接続され、他方の側に接続された冷媒配管は、分岐して、それぞれバルブ１１２ｎｃ、１１２ｎｄに接続されている。
【００２２】
また、放射式室内ユニットＣ２ｍは、それぞれ放射式室内熱交換器（チルドビーム）１１６ｍを備えており、備えられた室内空間に対して、冷房動作又は暖房動作を行って空調を実施するものである。放射式室内熱交換器１１６ｍは、暖房動作時には放熱器として機能し、冷房動作時には蒸発器として機能する。放射式室内熱交換器１１６ｍは、送風機を備えないため、自然対流によって供給される室内空気と２次側冷媒との間で熱交換を実施し、室内空間に供給するための暖房用空気又は冷房用空気を生成する。放射式室内熱交換器１１６ｍの一方の側に接続された冷媒配管は、分岐して、それぞれバルブ１１５ｍａ、１１５ｍｂに接続され、他方の側に接続された冷媒配管は、分岐して、それぞれバルブ１１５ｍｃ、１１５ｍｄに接続されている。
【００２３】
ここで、複数の対流式室内熱交換器１０８ｎはそれぞれ並列に接続されており、複数の放射式室内熱交換器１１６ｍはそれぞれ並列に接続されている。そして、複数の放射式室内熱交換器１１６ｍは、複数の対流式室内熱交換器１０８ｎよりも下流に設置されている。このため、放射式室内熱交換器１１６ｍには対流式室内熱交換器１０８ｎにおいて熱交換を行った後の２次側冷媒が供給されることになる。また、中間ユニット１Ｂは複数の対流式室内熱交換器１０８ｎをバイパスするための配管およびバルブ（弁）１１４ｃ、１１４ｄを有しており、中間熱交換器１０７ａ、１０７ｂから複数の対流式室内熱交換器１０８ｎをバイパスして下流側の放射式室内熱交換器１１６ｍへ２次側冷媒を直接供給することができるようになっている。
【００２４】
（冷媒回路の構成）
図１の空気調和装置１は、１次側冷媒回路２及び２次側冷媒回路３の２つの冷媒回路によって構成されている。１次側冷媒回路２は、圧縮機１０３、熱源側熱交換器１０４、絞り機構１０５ａ、１０５ｂ、第１流路切替器１０６、中間熱交換器１０７ａ、１０７ｂ及びバルブ１１１ａ〜１１１ｆにより構成されている。また、１次側冷媒回路２は、圧縮機１０３、第１流路切替器１０６、熱源側熱交換器１０４、絞り機構１０５ａ、１０５ｂ、中間熱交換器１０７ａ、１０７ｂ、第１流路切替器１０６、圧縮機１０３の順に第１冷媒配管によって接続されて冷媒回路が構成されている。１次側冷媒回路２を流通する１次側冷媒として、たとえばＲ４１０Ａ、Ｒ３２等のフロン系冷媒、プロパン等の炭化水素系冷媒、又は、二酸化炭素等の自然冷媒等を用いることができる。また、１次側冷媒としてＲ４１０Ａ等の共沸混合冷媒、Ｒ４０７Ｃ、Ｒ３２及びＲ１３４ａ、並びに、Ｒ３２及びＲ１２３４ｙｆ等の非共沸混合冷媒の使用も可能である。
【００２５】
２次側冷媒回路３は、中間熱交換器１０７ａ、１０７ｂ、対流式室内熱交換器１０８ｎ、放射式室内熱交換器１１６ｍ、ポンプ１０９ａ、１０９ｂ及びバルブ１１２ｎａ〜１１２ｎｄ、１１５ｍａ〜１１５ｄｍ、１１４ａ〜１１４ｄによって構成されている。また、２次側冷媒回路３は、ポンプ１０９ａ、１０９ｂ、対流式室内熱交換器１０８ｎ、放射式室内熱交換器１１６ｍ、中間熱交換器１０７ａ、１０７ｂ、ポンプ１０９ａ、１０９ｂの順に第２冷媒配管によって接続されて冷媒回路が構成されている。２次側冷媒回路を流通する２次側冷媒は、例えば、不凍液（ブライン）、水、これらの混合液、又は、水と防食効果を有する添加剤との混合液等を用いることができる。このような２次側冷媒を用いることによって、２次側冷媒が室内ユニットＣから室内空間に漏洩しても、２次側冷媒として安全性の高いものを使用しているため、安全性を向上に寄与することになる。
【００２６】
なお、本実施の形態では対流式室内熱交換器が３台（ｎ＝３）、放射式室内熱交換器が３台（ｍ＝３）となっているが、１台や２台でも良いし、４台以上でも良い。また、上記の１次側冷媒回路２及び２次側冷媒回路３は、同種類の冷媒が流れる冷媒回路を基準にした場合の回路構成である。
【００２７】
本実施の形態に係る空気調和装置が実施する運転モードとして、室内ユニットＣの全てが冷房動作を実施する全冷房運転モード、室内ユニットＣの全てが暖房動作を実施する全暖房運転モード、室内ユニットＣごとに冷房動作又は暖房動作を選択でき、冷房負荷の方が大きい冷房主体運転モード、及び、室内ユニットＣごとに冷房動作又は暖房動作を選択でき、暖房負荷の方が大きい暖房主体運転モードがある。以下に、各運転モードについて、１次側冷媒及び２次側冷媒の流れとともに説明する。
【００２８】
（全冷房運転モード）
図２は、図１の空気調和装置１の全冷房運転モード時における１次側冷媒及び２次側冷媒の流れを示す冷媒回路図である。なお、図２においては、太線で表された配管が１次側冷媒及び２次側冷媒の流れる配管を示しており、１次側冷媒が流れる方向を実線矢印で、２次側冷媒が流れる方向を破線矢印で示している。以下、図３〜図７において同様とする。以下、図２を参照しながら、全冷房運転モードについて説明する。
【００２９】
予め、１次側冷媒回路２においては、圧縮機１０３から吐出された１次側冷媒が熱源側熱交換器１０４へ流れ、中間ユニット１Ｂから流出した１次側冷媒が圧縮機１０３へ流れるように第１流路切替器１０６が切り替えられる。また、バルブ１１１ａ、１１１ｂ、１１１ｆが閉状態であり、バルブ１１１ｃ、１１１ｄ、１１１ｅが開状態であるものとする。２次側冷媒回路においては、バルブ１１２ｎａ〜１１２ｎｄ、１１４ａ、１１４ｂ、１１５ｍａ〜１１５ｄｍは開状態、バルブ１１４ｃ、１１４ｄは閉状態とするものとする。
【００３０】
低温低圧のガス状態の１次側冷媒は、圧縮機１０３によって圧縮され、高温高圧状態となって吐出され、第１流路切替器１０６を経由して、熱源側熱交換器１０４へ流入し、室外空気に対して放熱し、一部又は全部が凝縮して、気液二相状態又は液状態となる。熱源側熱交換器１０４から流出した気液二相状態又は液状態の１次側冷媒は、逆止弁１１３ｂを経由して、室外ユニット１Ａから流出し、中間ユニット１Ｂへ流入する。中間ユニット１Ｂへ流入した１次側冷媒は、バルブ１１１ｅを経由した後、分岐して、それぞれ絞り機構１０５ａ、１０５ｂへ流入し、膨張及び減圧されて、低温低圧の気液二相状態となり、中間熱交換器１０７ａ、１０７ｂへそれぞれ並列に流入する。
【００３１】
中間熱交換器１０７ａ、１０７ｂへ流入した気液二相状態の１次側冷媒は、２次側冷媒から吸熱し、蒸発して低温低圧のガス状態となる。中間熱交換器１０７ａ、１０７ｂから流出した低温低圧のガス状態の１次側冷媒は、それぞれバルブ１１１ｃ、１１１ｄを経由した後、合流して、中間ユニット１Ｂから流出し、室外ユニット１Ａへ流入する。室外ユニット１Ａへ流入したガス状態の１次側冷媒は、逆止弁１１３ａ及び第１流路切替器１０６を経由して、圧縮機１０３へ吸入され、再び圧縮される。
【００３２】
次に、２次側冷媒回路における２次側冷媒の流れについて説明する。低温の２次側冷媒がポンプ１０９ａの駆動によって中間熱交換器１０７ａから流出し、各バルブ１１２ｎａを経由した後、各対流式室内ユニットＣ１ｎの対流式室内熱交換器１０８ｎへ流入する。同様に、低温の２次側冷媒は、ポンプ１０９ｂの駆動によって中間熱交換器１０７ｂから流出し、それぞれバルブ１１２ｎｂを経由した後、各対流式室内ユニットＣ１ｎの対流式室内熱交換器１０８ｎへ流入する。このように中間ユニット１Ｂから各対流式室内熱交換器１０８ｎへ流入した２次側冷媒は、室内空気を冷却して高温状態となり、それぞれ対流式室内ユニットＣ１ｎから流出し、中間ユニット１Ｂへ流入する。
【００３３】
対流式室内熱交換器１０８ｎから流出した２次側冷媒は、中間熱交換器１０７ａ、１０７ｂに戻るものと、放射式室内ユニット側に流入するものとに分岐する。具体的には、２次側冷媒は、バルブ１１２ｎｃおよびバルブ１１４ａを経由して中間熱交換器１０７ａに流入する２次側冷媒と、バルブ１１２ｎｃから放射式室内ユニットＣ２ｍへ向かう２次側冷媒とに分岐する。同様に、２次側冷媒は、バルブ１１２ｎｄおよびバルブ１１４ｂを経由して中間熱交換器１０７ｂに流入する２次側冷媒と、バルブ１１２ｎｄから放射式室内ユニットＣ２ｍへ向かう２次側冷媒とに分岐する。
【００３４】
放射式室内ユニットＣ２ｍへ向かった２次側冷媒は、各バルブ１１５ｍａを経由した後、中間ユニット１Ｂから流出して、各放射式室内ユニットＣ２ｍの放射式室内熱交換器１１６ｍへそれぞれ流入する。このように、各対流式室内ユニットＣ１ｎから中間ユニット１Ｂを介して各対流式室内熱交換器１０８ｎへ流入した２次側冷媒は、室内空気を冷却して高温状態となり、それぞれ対流式室内ユニットＣ１ｎから流出し、中間ユニット１Ｂへ流入する。
【００３５】
放射式室内熱交換器１１６ｍから流出した２次側冷媒は中間ユニット１Ｂへ流入し、バルブ１１５ｍｃを経由して中間熱交換器１０７ａに流入するとともに、１１５ｄｍを介して中間熱交換器１０７ｂに流入する。中間熱交換器１０７ａ、１０７ｂへ流入した２次側冷媒は、低温状態の１次側冷媒によって冷却され、それぞれ中間熱交換器１０７ａ、１０７ｂから流出する。中間熱交換器１０７ａ、１０７ｂから流出した２次側冷媒は、それぞれ、ポンプ１０９ａ、１０９ｂへ流入し、再び送り出される。
【００３６】
（全暖房運転モード）
図３は、図１の空気調和装置１の全暖房運転モード時における１次側冷媒及び２次側冷媒の流れを示す冷媒回路図である。以下、図３を参照しながら、全暖房運転モードについて説明する。１次側冷媒回路２において、予め圧縮機１０３から吐出された１次側冷媒が中間ユニット１Ｂへ流れ、熱源側熱交換器１０４から流出した１次側冷媒が圧縮機１０３へ流れるように第１流路切替器１０６が切り替えられる。また、バルブ１１１ａ、１１１ｂ、１１１ｆが開状態であり、バルブ１１１ｃ、１１１ｄ、１１１ｅを閉状態であるものとする。また、２次側冷媒回路においては、全冷房運転モードと同様、バルブ１１２ｎａ〜１１２ｎｄ、１１４ａ、１１４ｂ、１１５ｍａ〜１１５ｄｍを開状態、バルブ１１４ｃ、１１４ｄを閉状態とするものとする。
【００３７】
低温低圧のガス状態の１次側冷媒は、圧縮機１０３によって圧縮され、高温高圧状態となって吐出され、第１流路切替器１０６及び逆止弁１１３ｃを経由して、室外ユニット１Ａから流出し、中間ユニット１Ｂへ流入する。中間ユニット１Ｂへ流入した１次側冷媒は、分岐して、それぞれバルブ１１１ａ、１１１ｂを経由して、中間熱交換器１０７ａ、１０７ｂへ並列に流入する。中間熱交換器１０７ａ、１０７ｂへ流入した高温高圧状態の１次側冷媒は、２次側冷媒へ放熱し、一部又は全部が凝縮して、気液二相状態又は液状態となる。中間熱交換器１０７ａ、１０７ｂから流出した気液二相状態又は液状態の１次側冷媒は、それぞれ絞り機構１０５ａ、１０５ｂへ流入し、膨張及び減圧されて、低温低圧の気液二相状態となり、その後、絞り機構１０５ａ、１０５ｂからそれぞれ流出した１次側冷媒は合流し、バルブ１１１ｆを経由して中間ユニット１Ｂから流出して室外ユニット１Ａへ流入する。室外ユニット１Ａへ流入した気液二相状態の１次側冷媒は、逆止弁１１３ｄを経由して、熱源側熱交換器１０４へ流入し、室外空気から吸熱し、蒸発して低温低圧のガス状態となり、第１流路切替器１０６を経由して、圧縮機１０３へ吸入され、再び圧縮される。
【００３８】
２次側冷媒回路における２次側冷媒の流れは、全冷房運転モードと同様であるため、全冷房運転モードとは異なる熱の移動についてのみ説明する。ポンプ１０９ａ、１０９ｂから送り出された高温の２次側冷媒は、対流式熱交換器１０８ｎで室内空気を加熱して低温状態となり、放射式室内熱交換器１１６ｍで室内空気を加熱して更に低温の状態となり、その後中間熱交換器１０７ａ、１０７ｂで高温状態の１次側冷媒によって加熱され、高温の状態で再びポンプ１０９ａ、１０９ｂへ流入し、再び送り出される。
【００３９】
（冷房主体運転モード１）
図４は、図１の空気調和装置１の冷房主体運転モード１における１次側冷媒及び２次側冷媒の流れを示す冷媒回路図である。冷房主体運転モード１は、冷房負荷が暖房負荷よりも大きく、対流式室内ユニットＣ１ｎのうち少なくとも１台が暖房動作を実施する運転モードである。なお、図４においては、対流式室内ユニットＣ１１および放射式室内ユニットＣ２１が暖房動作を実施し、対流式室内ユニットＣ１２、Ｃ１３および放射式室内ユニットＣ２２、Ｃ２３が冷房動作を実施するものとする。
【００４０】
１次側冷媒回路２において、予め圧縮機１０３から吐出された１次側冷媒が熱源側熱交換器１０４へ流れ、中間ユニット１Ｂから流出した１次側冷媒が圧縮機１０３へ流れるように第１流路切替器１０６が切り替えられる。バルブ１１１ａ、１１１ｄ、１１１ｅ、１１１ｆを閉状態とし、バルブ１１１ｂ、１１１ｃを開状態とするものとする。また、２次側冷媒回路においては、バルブ１１２１ｂ、１１２１ｄ、１１２２ａ、１１２２ｃ、１１２３ａ、１１２３ｃ、１１４ａ、１１４ｂ、１１５１ｂ、１１５１ｄ、１１５２ａ、１１５２ｃ、１１５３ａ、１１５３ｃを開状態とし、バルブ１１２１ａ、１１２１ｃ、１１２２ｂ、１１２２ｄ、１１２３ｂ、１１２３ｄ、１１４ｃ、１１４ｄ、１１５１ａ、１１５１ｃ、１１５２ｂ、１１５２ｄ、１１５３ｂ、１１５３ｄを閉状態とするものとする。
【００４１】
低温低圧のガス状態の１次側冷媒は、圧縮機１０３によって圧縮され、高温高圧状態となって吐出され、第１流路切替器１０６を経由して、熱源側熱交換器１０４へ流入し、室外空気に対して放熱し、一部が凝縮して、気液二相状態となる。熱源側熱交換器１０４から流出した気液二相状態の１次側冷媒は、逆止弁１１３ｂを経由して、室外ユニット１Ａから流出し、中間ユニット１Ｂへ流入する。
【００４２】
中間ユニット１Ｂへ流入した気液二相状態の１次側冷媒は、バルブ１１１ｂを経由して、中間熱交換器１０７ｂへ流入し、２次側冷媒を加熱することによってさらに凝縮する。中間熱交換器１０７ｂを流出した２次側冷媒は、絞り機構１０５ｂ及び絞り機構１０５ａへ経由することによって膨張及び減圧されて低温低圧の気液二相状態となり、中間熱交換器１０７ａへ流入する。中間熱交換器１０７ａへ流入した気液二相状態の１次側冷媒は、２次側冷媒から吸熱し、蒸発して低温低圧のガス状態となる。中間熱交換器１０７ａから流出した低温低圧のガス状態の１次側冷媒は、バルブ１１１ｃを経由して、中間ユニット１Ｂから流出し、室外ユニット１Ａへ流入する。室外ユニット１Ａへ流入したガス状態の１次側冷媒は、逆止弁１１３ａ及び第１流路切替器１０６を経由して圧縮機１０３へ吸入され、再び圧縮される。
【００４３】
次に、２次側冷媒回路における２次側冷媒の流れについて説明する。ポンプ１０９ａの駆動によって送り出された低温の２次側冷媒は、分岐してそれぞれバルブ１１２２ａ、１１２３ａを経由した後、中間ユニット１Ｂから流出して、それぞれ対流式室内ユニットＣ１２の対流式室内熱交換器１０８２、及び、対流式室内ユニットＣ１３の対流式室内熱交換器１０８３へ流入する。対流式室内熱交換器１０８２、１０８３へ流入した２次側冷媒は、室内空気を冷却して高温状態となり、それぞれ対流式室内ユニットＣ１２、Ｃ１３から流出し、中間ユニット１Ｂへ流入する。
【００４４】
対流式室内熱交換器１０８２を流出して中間ユニット１Ｂへ流入し、バルブ１１２２ｃを経由した２次側冷媒、及び、対流式室内熱交換器１０８３を流出して中間ユニット１Ｂへ流入し、バルブ１１２３ｃを経由した２次側冷媒は合流した後、バルブ１１４ａを通るものと、室内ユニットＣ２２、Ｃ２３へ向かうものとに分岐する。室内ユニットＣ２２、Ｃ２３へ向かった２次側冷媒は、再び分岐しバルブ１１５２ａ、１１５３ａを経由した後、中間ユニット１Ｂから流出して、それぞれ室内ユニットＣ２２の放射式室内熱交換器１１６２、及び、室内ユニットＣ２３の放射式室内熱交換器１１６３へ流入する。放射式室内熱交換器１１６２、１１６３へ流入した２次側冷媒は、室内空気を冷却してさらに高温の状態となり、それぞれ室内ユニットＣ２２、Ｃ２３から流出し、中間ユニット１Ｂへ再び流入する。
【００４５】
放射式室内熱交換器１１６２を流出して中間ユニット１Ｂへ流入し、バルブ１１５２ｃを経由した２次側冷媒、及び、放射式室内熱交換器１１６３を流出して中間ユニット１Ｂへ流入し、バルブ１１５３ｃを経由した２次側冷媒は、バルブ１１４ａを通った２次側冷媒と合流し、中間熱交換器１０７ａへ流入する。中間熱交換器１０７ａへ流入した２次側冷媒は低温状態の１次側冷媒によって冷却され、中間熱交換器１０７ａから流出する。中間熱交換器１０７ａを流出した２次側冷媒は、ポンプ１０９ａへ流入し、再び送り出される。
【００４６】
一方、ポンプ１０９ｂの駆動によって送り出された高温の２次側冷媒は、バルブ１１２１ｂを経由した後、中間ユニット１Ｂから流出して、対流式室内ユニットＣ１１の対流式室内熱交換器１０８１へ流入する。対流式室内熱交換器１０８１へ流入した２次側冷媒は、室内空気を加熱して低温状態となり、対流式室内ユニットＣ１１から流出し、中間ユニット１Ｂへ流入する。
【００４７】
対流式室内熱交換器１０８１を流出して中間ユニット１Ｂへ流入し、バルブ１１２１ｄを経由した２次側冷媒は、バルブ１１４ｂを通るものと、室内ユニットＣ２１へ向かうものとに分岐する。室内ユニットＣ２１へ向かった２次側冷媒は、バルブ１１５１ｂを経由して中間ユニット１Ｂから流出し、室内ユニットＣ２１の放射式室内熱交換器１１６１へ流入する。放射式室内熱交換器１１６１へ流入した２次側冷媒は、室内空気を冷却してさらに高温の状態となり、室内ユニットＣ２１から流出し、中間ユニット１Ｂへ再び流入する。放射式室内熱交換器１１６１を流出して中間ユニット１Ｂへ流入し、バルブ１１５１ｄを経由した２次側冷媒は、バルブ１１４ｂを通った２次側冷媒と合流し、中間熱交換器１０７ｂへ流入する。中間熱交換器１０７ｂへ流入した２次側冷媒は、高温状態の１次側冷媒によって加熱され、中間熱交換器１０７ｂから流出する。中間熱交換器１０７ｂを流出した２次側冷媒は、ポンプ１０９ｂへ流入し、再び送り出される。
【００４８】
（冷房主体運転モード２）
図５は、図１の空気調和装置１の冷房主体運転モード２における１次側冷媒及び２次側冷媒の流れを示す冷媒回路図である。冷房主体運転モード２は、冷房負荷が暖房負荷よりも大きく、対流式室内ユニットＣ１１〜Ｃ１３の全てが冷房動作を実施し、室内ユニットＣ２１〜Ｃ２３のうち少なくとも１台が暖房動作を実施する運転モードである。以下、図５を参照しながら、冷房主体運転モード２について説明する。なお、図５においては、対流式室内ユニットＣ１１〜Ｃ１３および放射式室内ユニットＣ２２、Ｃ２３が冷房動作を、放射式室内ユニットＣ２１が暖房動作を実施するものとする。なお、１次側冷媒回路２の流路切替については冷房主体運転モード１と同様であり、以下に２次側冷媒回路における２次側冷媒の流れについて説明する。
【００４９】
２次側冷媒回路において、バルブ１１２１ａ〜１１２３ａ、１１２１ｃ〜１１２３ｃ、１１４ａ、１１４ｂ、１１４ｄ、１１５１ｂ、１１５１ｄ、１１５２ａ、１１５２ｃ、１１５３ａ、１１５３ｃが開状態となり、バルブ１１２１ｂ〜１１２３ｂ、１１２１ｄ〜１１２３ｄ、１１４ｃ、１１５１ａ、１１５１ｃ、１１５２ｂ、１１５２ｄ、１１５３ｂ、１１５３ｄが閉状態となる。
【００５０】
ポンプ１０９ａの駆動によって送り出された低温の２次側冷媒は、分岐して、それぞれバルブ１１２１ａ、１１２２ａ、１１２３ａを経由した後、中間ユニット１Ｂから流出して、それぞれ対流式室内ユニットＣ１１の対流式室内熱交換器１０８１、対流式室内ユニットＣ１２の対流式室内熱交換器１０８２、及び、対流式室内ユニットＣ１３の対流式室内熱交換器１０８３へ流入する。対流式室内熱交換器１０８１、１０８２、１０８３へ流入した２次側冷媒は、室内空気を冷却して高温状態となり、それぞれ対流式室内ユニットＣ１１、Ｃ１２、Ｃ１３から流出し、中間ユニット１Ｂへ流入する。
【００５１】
バルブ１１２１ｃを経由して中間ユニット１Ｂ側へ流入した２次側冷媒、バルブ１１２２ｃを経由して中間ユニット１Ｂ側へ流入した２次側冷媒、及び、バルブ１１２３ｃを経由して中間ユニット１Ｂ側へ流入した２次側冷媒は、バルブ１１４ａを通るものと、室内ユニットＣ２２、Ｃ２３へ向かうものとに分岐する。室内ユニットＣ２２、Ｃ２３へ向かった２次側冷媒は、再び分岐しバルブ１１５２ａ、１１５３ａを経由した後、中間ユニット１Ｂから流出して、それぞれ室内ユニットＣ２２の放射式室内熱交換器１１６２及び室内ユニットＣ２３の放射式室内熱交換器１１６３へ流入する。
【００５２】
放射式室内熱交換器１１６２、１１６３へ流入した２次側冷媒は、室内空気を冷却してさらに高温の状態となり、それぞれ室内ユニットＣ２２、Ｃ２３から流出し、中間ユニット１Ｂへ再び流入する。放射式室内熱交換器１１６２を流出して中間ユニット１Ｂへ流入し、バルブ１１５２ｃを経由した２次側冷媒、及び、放射式室内熱交換器１１６３を流出して中間ユニット１Ｂへ流入し、バルブ１１５３ｃを経由した２次側冷媒は、バルブ１１４ａを通った２次側冷媒と合流し、中間熱交換器１０７ａへ流入する。中間熱交換器１０７ａへ流入した２次側冷媒は低温状態の１次側冷媒によって冷却され、中間熱交換器１０７ａから流出する。中間熱交換器１０７ａを流出した２次側冷媒は、ポンプ１０９ａへ流入し、再び送り出される。
【００５３】
一方、ポンプ１０９ｂの駆動によって送り出された高温の２次側冷媒は、バルブ１１４ｄを経由した後、バルブ１１４ｂを通るものと、室内ユニットＣ２１へ向かうものとに分岐する。室内ユニットＣ２１へ向かった２次側冷媒は、バルブ１１５１ｂを経由して中間ユニット１Ｂから流出し、室内ユニットＣ２１の放射式室内熱交換器１１６１へ流入する。放射式室内熱交換器１１６１へ流入した２次側冷媒は、室内空気を加熱して低温状態となり、それぞれ室内ユニットＣ２１から流出し、中間ユニット１Ｂへ流入する。放射式室内熱交換器１１６１を流出して中間ユニット１Ｂへ流入し、バルブ１１５１ｄを経由した２次側冷媒は、バルブ１１４ｂを通った２次側冷媒と合流し、中間熱交換器１０７ｂへ流入する。中間熱交換器１０７ｂへ流入した２次側冷媒は、高温状態の１次側冷媒によって加熱され、中間熱交換器１０７ｂから流出する。中間熱交換器１０７ｂを流出した２次側冷媒は、ポンプ１０９ｂへ流入し、再び送り出される。
【００５４】
（暖房主体運転モード１）
図６は、図１の空気調和装置１の暖房主体運転モード１における１次側冷媒及び２次側冷媒の流れを示す冷媒回路図である。暖房主体運転モード１は、暖房負荷が冷房負荷よりも大きく、対流式室内ユニットＣ１１〜Ｃ１３のうち少なくとも１台が冷房動作を実施する運転モードである。以下、図６を参照しながら、暖房主体運転モード１について説明する。なお、図６においては、対流式室内ユニットＣ１１、Ｃ１２および放射式室内ユニットＣ２１、Ｃ２２が暖房動作を実施し、対流式室内ユニットＣ１３および放射式室内ユニットＣ２３が冷房動作を実施するものとする。
【００５５】
予め、１次側冷媒回路２においては、第１流路切替器１０６を、圧縮機１０３から吐出された１次側冷媒が中間ユニット１Ｂへ流れ、熱源側熱交換器１０４から流出した１次側冷媒が圧縮機１０３へ流れるように切り替え、バルブ１１１ｂ、１１１ｃが開状態になり、バルブ１１１ａ、１１１ｄ〜１１１ｆが閉状態になる。また、２次側冷媒回路においては、バルブ１１２１ｂ、１１２１ｄ、１１２２ｂ、１１２２ｄ、１１２３ａ、１１２３ｃ、１１４ａ、１１４ｂ、バルブ１１５１ｂ、１１５１ｄ、１１５２ｂ、１１５２ｄ、１１５３ａ、１１５３ｃが開状態になる。一方、バルブ１１２１ａ、１１２１ｃ、１１２２ａ、１１２２ｃ、１１２３ｂ、１１２３ｄ、１１４ｃ、１１４ｄ、１１５１ａ、１１５１ｃ、１１５２ａ、１１５２ｃ、１１５３ｂ、１１５３ｄが閉状態になる。
【００５６】
低温低圧のガス状態の１次側冷媒は、圧縮機１０３によって圧縮され、高温高圧状態となって吐出され、第１流路切替器１０６及び逆止弁１１３ｃを経由して、室外ユニット１Ａから流出し、中間ユニット１Ｂへ流入する。中間ユニット１Ｂへ流入した高温高圧状態の１次側冷媒は、バルブ１１１ｂを経由して、中間熱交換器１０７ｂへ流入し、２次側冷媒へ放熱し、一部又は全部が凝縮して気液二相状態又は液状態となる。中間熱交換器１０７ｂを流出した２次側冷媒は、絞り機構１０５ｂ及び絞り機構１０５ａへ経由することによって、膨張及び減圧されて、低温低圧の気液二相状態となり、中間熱交換器１０７ａへ流入する。中間熱交換器１０７ａへ流入した気液二相状態の１次側冷媒は、２次側冷媒から吸熱し、一部が蒸発する。中間熱交換器１０７ａから流出した１次側冷媒は、バルブ１１１ｃを経由して、中間ユニット１Ｂから流出し、室外ユニット１Ａへ流入する。室外ユニット１Ａへ流入した１次側冷媒は、逆止弁１１３ｄを経由して、熱源側熱交換器１０４へ流入し、室外空気から吸熱し、蒸発して低温低圧のガス状態となり、第１流路切替器１０６を経由して、圧縮機１０３へ吸入され、再び圧縮される。
【００５７】
次に、２次側冷媒回路における２次側冷媒の流れについて説明する。ポンプ１０９ａの駆動によって送り出された低温の２次側冷媒は、バルブ１１２３ａを経由した後、中間ユニット１Ｂから流出して、対流式室内ユニットＣ１３の対流式室内熱交換器１０８３へ流入する。対流式室内熱交換器１０８３へ流入した２次側冷媒は、室内空気を冷却して高温状態となり、対流式室内ユニットＣ１３から流出し、中間ユニット１Ｂへ流入する。
【００５８】
対流式室内熱交換器１０８３を流出して中間ユニット１Ｂへ流入し、バルブ１１２３ｃを経由した２次側冷媒は、バルブ１１４ａを通るものと、室内ユニットＣ２３へ向かうものとに分岐する。室内ユニットＣ２３へ向かった２次側冷媒は、バルブ１１５３ａを経由して中間ユニット１Ｂから流出し、室内ユニットＣ２３の放射式室内熱交換器１１６３へ流入する。放射式室内熱交換器１１６３へ流入した２次側冷媒は、室内空気を冷却してさらに高温の状態となり、室内ユニットＣ２３から流出し、中間ユニット１Ｂへ再び流入する。放射式室内熱交換器１１６３を流出して中間ユニット１Ｂへ流入し、バルブ１１５３ｃを経由した２次側冷媒は、バルブ１１４ａを通った２次側冷媒と合流し、中間熱交換器１０７ａへ流入する。中間熱交換器１０７ａへ流入した２次側冷媒は、低温状態の１次側冷媒によって冷却され、中間熱交換器１０７ａから流出する。中間熱交換器１０７ａを流出した２次側冷媒は、ポンプ１０９ａへ流入し、再び送り出される。
【００５９】
一方、ポンプ１０９ｂの駆動によって送り出された高温の２次側冷媒は、分岐して、それぞれバルブ１１２１ｂ、１１２２ｂを経由した後、中間ユニット１Ｂから流出して、それぞれ対流式室内ユニットＣ１１の対流式室内熱交換器１０８１、及び、対流式室内ユニットＣ１２の対流式室内熱交換器１０８２へ流入する。対流式室内熱交換器１０８１、１０８２へ流入した２次側冷媒は、室内空気を加熱して低温状態となり、それぞれ対流式室内ユニットＣ１１、Ｃ１２から流出し、中間ユニット１Ｂへ流入する。対流式室内熱交換器１０８１を流出して中間ユニット１Ｂへ流入し、バルブ１１２１ｄを経由した２次側冷媒、及び、対流式室内熱交換器１０８２を流出して中間ユニット１Ｂへ流入し、バルブ１１２２ｄを経由した２次側冷媒は、合流した後、バルブ１１４ｂを通るものと、室内ユニットＣ２１、Ｃ２２へ向かうものとに分岐する。室内ユニットＣ２１、Ｃ２２へ向かった２次側冷媒は、再び分岐しバルブ１１５１ｂ、１１５２ｂを経由した後、中間ユニット１Ｂから流出して、それぞれ室内ユニットＣ２１の放射式室内熱交換器１１６１、及び、室内ユニットＣ２２の放射式室内熱交換器１１６２へ流入する。放射式室内熱交換器１１６１、１１６２へ流入した２次側冷媒は、室内空気を加熱してさらに低温の状態となり、それぞれ室内ユニットＣ２１、Ｃ２２から流出し、中間ユニット１Ｂへ再び流入する。
【００６０】
放射式室内熱交換器１１６１を流出して中間ユニット１Ｂへ流入し、バルブ１１５１ｄを経由した２次側冷媒、及び、放射式室内熱交換器１１６２を流出して中間ユニット１Ｂへ流入し、バルブ１１５２ｄを経由した２次側冷媒は、バルブ１１４ｂを通った２次側冷媒と合流し、中間熱交換器１０７ｂへ流入する。中間熱交換器１０７ｂへ流入した２次側冷媒は高温状態の１次側冷媒によって加熱され、中間熱交換器１０７ｂから流出する。中間熱交換器１０７ｂを流出した２次側冷媒は、ポンプ１０９ｂへ流入し、再び送り出される。
【００６１】
（暖房主体運転モード２）
図７は、図１の空気調和装置１の暖房主体運転モード２における１次側冷媒及び２次側冷媒の流れを示す冷媒回路図である。暖房主体運転モード２は、暖房負荷が冷房負荷よりも大きく、対流式室内ユニットＣ１１〜Ｃ１３の全てが暖房動作を、室内ユニットＣ２１〜Ｃ２３のうち少なくとも１台が冷房動作を実施する運転モードである。以下、図７を参照しながら、暖房主体運転モード２について説明する。なお、図７においては、対流式室内ユニットＣ１１〜Ｃ１３および放射式室内ユニットＣ２１、Ｃ２２が暖房動作を、放射式室内ユニットＣ２３が冷房動作を実施するものとする。
【００６２】
予め、１次側冷媒回路２においては、第１流路切替器１０６を、圧縮機１０３から吐出された１次側冷媒が熱源側熱交換器１０４へ流れ、中間ユニット１Ｂから流出した１次側冷媒が圧縮機１０３へ流れるように切り替え、バルブ１１１ａ、１１１ｄ、１１１ｅ、１１１ｆを閉状態とし、バルブ１１１ｂ、１１１ｃを開状態とするものとする。また、２次側冷媒回路においては、バルブ１１２１ｂ〜１１２３ｂ、１１２１ｄ〜１１２３ｄ、１１４ａ、１１４ｂ、１１４ｃ、１１５１ｂ、１１５１ｄ、１１５２ｂ、１１５２ｄ、１１５３ａ、１１５３ｃを開状態とし、バルブ１１２１ａ〜１１２３ａ、１１２１ｃ〜１１２３ｃ、１１４ｄ、１１５１ａ、１１５１ｃ、１１５２ａ、１１５２ｃ、１１５３ｂ、１１５３ｄを閉状態とするものとする。
【００６３】
１次側冷媒回路２については暖房主体運転モード１と同様であるためその説明を省略し、２次側冷媒回路における２次側冷媒の流れについてのみ説明する。ポンプ１０９ａの駆動によって送り出された低温の２次側冷媒は、バルブ１１４ｃを経由した後、バルブ１１４ａを通るものと、室内ユニットＣ２３へ向かうものとに分岐する。室内ユニットＣ２３へ向かった２次側冷媒は、バルブ１１５３ａを経由して中間ユニット１Ｂから流出し、室内ユニットＣ２３の放射式室内熱交換器１１６３へ流入する。放射式室内熱交換器１１６３へ流入した２次側冷媒は、室内空気を冷却して高温状態となり、それぞれ室内ユニットＣ２３から流出し、中間ユニット１Ｂへ流入する。放射式室内熱交換器１１６３を流出して中間ユニット１Ｂへ流入し、バルブ１１５３ｃを経由した２次側冷媒は、バルブ１１４ａを通った２次側冷媒と合流し、中間熱交換器１０７ａへ流入する。
【００６４】
中間熱交換器１０７ａへ流入した２次側冷媒は、低温状態の１次側冷媒によって冷却され、中間熱交換器１０７ａから流出する。中間熱交換器１０７ａを流出した２次側冷媒は、ポンプ１０９ａへ流入し、再び送り出される。一方、ポンプ１０９ｂの駆動によって送り出された高温の２次側冷媒は、分岐して、それぞれバルブ１１２１ｂ、１１２２ｂ、１１２３ｂを経由した後、中間ユニット１Ｂから流出して、それぞれ対流式室内ユニットＣ１１の対流式室内熱交換器１０８１、対流式室内ユニットＣ１２の対流式室内熱交換器１０８２、及び、対流式室内ユニットＣ１３の対流式室内熱交換器１０８３へ流入する。対流式室内熱交換器１０８１、１０８２、１０８３へ流入した２次側冷媒は、室内空気を加熱して低温状態となり、それぞれ対流式室内ユニットＣ１１、Ｃ１２、Ｃ１３から流出し、中間ユニット１Ｂへ流入する。
【００６５】
対流式室内熱交換器１０８１を流出して中間ユニット１Ｂへ流入し、バルブ１１２１ｄを経由した２次側冷媒、対流式室内熱交換器１０８２を流出して中間ユニット１Ｂへ流入し、バルブ１１２２ｄを経由した２次側冷媒、及び、対流式室内熱交換器１０８３を流出して中間ユニット１Ｂへ流入し、バルブ１１２３ｄを経由した２次側冷媒は、合流した後、バルブ１１４ｂを通るものと、室内ユニットＣ２１、Ｃ２２へ向かうものとに分岐する。室内ユニットＣ２１、Ｃ２２へ向かった２次側冷媒は、再び分岐し、バルブ１１５１ｂ、１１５２ｂを経由した後、中間ユニット１Ｂから流出して、それぞれ室内ユニットＣ２１の放射式室内熱交換器１１６１、及び、室内ユニットＣ２２の放射式室内熱交換器１１６２へ流入する。放射式室内熱交換器１１６１、１１６２へ流入した２次側冷媒は、室内空気を加熱してさらに低温の状態となり、それぞれ室内ユニットＣ２１、Ｃ２２から流出し、中間ユニット１Ｂへ再び流入する。
【００６６】
放射式室内熱交換器１１６１を流出して中間ユニット１Ｂへ流入し、バルブ１１５１ｄを経由した２次側冷媒、及び、放射式室内熱交換器１１６２を流出して中間ユニット１Ｂへ流入し、バルブ１１５２ｄを経由した２次側冷媒は、バルブ１１４ｂを通った２次側冷媒と合流し、中間熱交換器１０７ｂへ流入する。中間熱交換器１０７ｂへ流入した２次側冷媒は高温状態の１次側冷媒によって加熱され、中間熱交換器１０７ｂから流出する。中間熱交換器１０７ｂを流出した２次側冷媒は、ポンプ１０９ｂへ流入し、再び送り出される。
【００６７】
（実施形態１の効果）
上記実施形態１によれば、対流式室内熱交換器１０８ｎを備えた対流式室内ユニットＣ１ｎと放射式室内熱交換器１１６ｍを備えた放射式室内ユニットＣ２ｍの数を自由に選択でき、かつ、それぞれの室内ユニットＣにおいて冷房及び暖房を任意に設定できる。これにより、対流式室内ユニットＣ１ｎを設置した部屋では立ち上がりが早く大きな冷暖房負荷にも耐えうる空調が、放射式室内ユニットＣ２ｍを設置した部屋では騒音やドラフトの発生することなくムラのない空調が可能となり、部屋の用途や負荷に合わせた建物全体として質の高い空調を行うことができる。
【００６８】
また、１つの空調システムで対流式熱交換器１０８ｎを備えた対流式室内ユニットＣ１ｎと放射式室内熱交換器１１６ｍを備えた放射式室内ユニットＣ２ｍを設けており、対流式の空調システムと放射式の空調システムとを両方設置するよりも、省スペース化・省エネルギー化を実現することができる。
【００６９】
さらに、２次側冷媒回路において、放射式室内熱交換器１１６ｍは対流式室内熱交換器１０８ｎよりも下流に設置されている。このため、全冷房運転モード、冷房主体運転モード１においては、例えば、対流式室内熱交換器１０８ｎに５℃の２次側冷媒が供給され、対流式室内熱交換器１０８ｎの熱交換により２次側冷媒が１５℃まで温度上昇した後に放射式室内熱交換器１１６ｍに供給される。
【００７０】
このように、対流式室内熱交換器１０８ｎにおいて熱交換を行った後の対流式室内熱交換器１０８ｎよりも高い温度の２次側冷媒が放射式室内熱交換器１１６ｍに供給されることになる。したがって、対流式室内熱交換器１０８ｎ、放射式室内熱交換器１１６ｍともに適切な空調が可能となる。すなわち、対流式熱交換器１０８ｎと放射式室内熱交換器１１６ｍとに、同じ温度の冷媒を供給した場合、対流式熱交換器１０８ｎにおいて能力が不足しもしくは放射式室内熱交換器１１６ｍにおいて能力が過剰になるという問題がある。そこで、放射式室内熱交換器１１６ｍを対流式室内熱交換器１０８ｎよりも下流に設置することにより、対流式室内熱交換器１０８ｎ、放射式室内熱交換器１１６ｍともに適切な空調が可能となる。
【００７１】
特に、冷房運転時において、放射式室内熱交換器１１６ｍに温度の低すぎる冷媒を供給した場合、結露が発生するという問題がある。冷房運転時において、放射式室内熱交換器１１６ｍに対流式室内熱交換器１０８ｎよりも温度の高い２次側冷媒を供給することにより、放射式室内熱交換器１１６ｍでの結露の発生を防ぐことができる。
【００７２】
同様に全暖房運転モード、暖房主体運転モードにおいては、対流式室内熱交換器１０８ｎにおいて熱交換を行った後の対流式室内熱交換器１０８ｎよりも低い温度の２次側冷媒が放射式室内熱交換器１１６ｍに供給される。例えば、対流式室内熱交換器１０８ｎに４５℃の２次側冷媒が供給され、対流式室内熱交換器１０８ｎで熱交換することにより１３０℃まで温度低下し、放射式室内熱交換器１１６ｍに供給される。したがって、対流式室内熱交換器１０８ｎ、放射式室内熱交換器１１６ｍともに適切な空調が可能となる。
【００７３】
また、冷房主体運転モード２においては、バルブ１１４ｂを開状態とし、対流式室内熱交換器１０８ｎで暖房を行わないため、中間熱交換器１０７ｂで生成する２次側冷媒の温度をやや低くすることができ、圧縮機の入力を削減でき運転効率が良い。同様に、暖房主体運転モード２においては、バルブ１１４ａを開状態とし、対流式室内熱交換器１０８ｎで冷房を行わないため、中間熱交換器１０７ａで生成する２次側冷媒の温度をやや高くすることができ、圧縮機の入力を削減でき運転効率が良くなる。
【００７４】
実施の形態２．
図８〜図１１は本発明の空気調和装置の実施形態２を示す冷媒回路図であり、図８を参照して空気調和装置１００について説明する。なお、図８の空気調和装置１００において図１の空気調和装置１と同一の構成を有する部位には同一の符号を付してその説明を省略する。図８の空気調和装置１００が図１の空気調和装置１と異なる点は、中間ユニットおよび室内ユニットの構成である。
【００７５】
（中間ユニット１００Ｂの構成）
まず、図８の中間ユニット１００Ｂについて説明する。中間ユニット１００Ｂは、２次側冷媒回路は、少なくとも、中間熱交換器１０７ａ、１０７ｂ、対流式室内熱交換器１０８ｎ、放射式室内熱交換器１１６ｎ、ポンプ１０９ａ、１０９ｂ及びバルブ１１２ｎａ〜１１２ｎｄによって構成されている。また、２次側冷媒回路は、大まかに、ポンプ１０９ａ、１０９ｂ、対流式室内熱交換器１０８ｎ、放射式室内熱交換器１１６ｎ、中間熱交換器１０７ａ、１０７ｂ、そして、ポンプ１０９ａ、１０９ｂの順に冷媒配管によって接続されて冷媒回路が構成されている。
【００７６】
中間ユニット１００Ｂは、実施の形態１同様、室外ユニット１Ａ及び室内ユニットＣとは別筐体として、室外空間及び室内空間とは別の位置等に設置されるものであり、室外ユニット１Ａと室内ユニットＣ３ｎとを冷媒配管によって中継するものである。中間ユニット１Ｂは、中間熱交換器１０７ａ、１０７ｂ、絞り機構１０５ａ、１０５ｂ、ポンプ１０９ａ、１０９ｂ、及び、バルブ１１１ａ〜１１１ｆ、１１２ｎａ〜１１２ｎｄを備えている。中間熱交換器１０７ａは、２次側冷媒回路において、バルブ１１２ｎｃが合流した冷媒配管とポンプ１０９ａの間に、中間熱交換器１０７ｂは、バルブ１１２ｎｄが合流した冷媒配管とポンプ１０９ｂの間に設けられている。
【００７７】
（室内ユニットＣ３ｎの構成）
対流放射式室内ユニットＣ３ｎは、室内空間に対して冷房動作又は暖房動作を行って空調を実施するものであって、それぞれ対流式熱交換器１０８ｎ、送風機１０８ｎａ及び放射式室内熱交換器１１６ｎを備えている。中間ユニット１００Ｂ側のバルブ１１２ｎａ及び１１２ｎｂは室内ユニットＣ３ｎの対流式熱交換器１０８ｎの流入側に接続されている。また、対流式熱交換器１０８ｎの吐出側には放射式室内熱交換器１１６ｎの流入側が接続されており、放射式室内熱交換器１１６ｎは対流式熱交換器１０８ｎの下流側に直列に接続されている。また、放射式室内熱交換器１１６ｎの吐出側には中間ユニット１００Ｂのバルブ１１２ｎｃ及び１１２ｎｄに接続されている。そして、送風機１０８ｎａから供給された室内空気もしくは外気が、室内熱交換器１０８ｎにおいて２次側冷媒と熱交換し、その後放射式室内熱交換器１１６ｎにおいて再び２次側冷媒と熱交換する。なお、図８においては、対流放射式室内ユニットＣ３ｎの接続台数をｎ＝３台としているが、これに限定するものではなく、対流放射式室内ユニットＣ３ｎは何台でも良い。
【００７８】
図９から図１４は各運転モードにおける１次側冷媒および２次側冷媒の流れの一例を示す冷媒回路図であり、図９から図１４を参照して各運転モードにおける空気調和装置１００の動作例について説明する。なお、なお、１次側冷媒の流れについては、上記実施形態１と同様であるため（図２〜図７参照）、２次側冷媒の流れについてのみ説明する。
【００７９】
（全冷房運転モード）
図９は、図８の空気調和装置１００の全冷房運転モードにおける１次側冷媒及び２次側冷媒の流れを示す冷媒回路図である。図９において、太線で表された配管が１次側冷媒及び２次側冷媒の流れる配管を示しており、１次側冷媒が流れる方向を実線矢印で、２次側冷媒が流れる方向を破線矢印で示している。以下、図１０〜図１２において同様とする。以下、図９を参照しながら、全冷房運転モードについて説明する。
【００８０】
２次側冷媒回路における２次側冷媒の流れについて説明する。予め２次側冷媒回路において、バルブ１１２ｎａ〜１１２ｎｄを開状態とするものとする。ポンプ１０９ａの駆動によって送り出された低温の２次側冷媒は、分岐して、それぞれバルブ１１２１ａ、１１２２ａ、１１２３ａを経由した後、中間ユニット１Ｂから流出して、それぞれ対流放射式室内ユニットＣ３１の対流式室内熱交換器１０８１、対流放射式室内ユニットＣ３２の対流式室内熱交換器１０８２、及び、対流放射式室内ユニットＣ３３の対流式室内熱交換器１０８３へ流入する。また、ポンプ１０９ｂの駆動によって送り出された低温の２次側冷媒は、分岐して、それぞれバルブ１１２１ｂ、１１２２ｂ、１１２３ｂを経由した後、中間ユニット１Ｂから流出して、それぞれ対流放射式室内ユニットＣ３１の対流式室内熱交換器１０８１、室内ユニットＣ２の対流式室内熱交換器１０８２、及び、対流放射式室内ユニットＣ３３の対流式室内熱交換器１０８３へ流入する。
【００８１】
対流式室内熱交換器１０８１、１０８２、１０８３へ流入した２次側冷媒は、室内空気もしくは外気を冷却して高温状態となり、それぞれ放射式室内熱交換器１１６１、１１６２へ流入する。放射式室内熱交換器１１６１、１１６２、１１６３へ流入した２次側冷媒は、それぞれ対流式室内熱交換器１０８１、１０８２、１０８３において熱処理された空気及び室内空気を冷却してさらに高温の状態となり、それぞれ対流放射式室内ユニットＣ３１、Ｃ３２、Ｃ３３から流出し、中間ユニット１Ｂへ流入する。
【００８２】
放射式室内熱交換器１１６１を流出して中間ユニット１Ｂへ流入して分岐し、その一方がバルブ１１２１ｃを経由した２次側冷媒、放射式室内熱交換器１１６２を流出して中間ユニット１Ｂへ流入して分岐し、その一方がバルブ１１２２ｃを経由した２次側冷媒、及び、放射式室内熱交換器１１６３を流出して中間ユニット１Ｂへ流入して分岐し、その一方がバルブ１１２３ｃを経由した２次側冷媒は、合流して中間熱交換器１０７ａへ流入する。また、放射式室内熱交換器１１６１を流出して中間ユニット１Ｂへ流入して分岐し、その他方がバルブ１１２１ｄを経由した２次側冷媒、放射式室内熱交換器１１６２を流出して中間ユニット１Ｂへ流入して分岐し、その他方がバルブ１１２２ｄを経由した２次側冷媒、及び、放射式室内熱交換器１１６３を流出して中間ユニット１Ｂへ流入して分岐し、その他方がバルブ１１２３ｄを経由した２次側冷媒は、合流して中間熱交換器１０７ｂへ流入する。
【００８３】
中間熱交換器１０７ａ、１０７ｂへ流入した２次側冷媒は、低温状態の１次側冷媒によって冷却され、それぞれ中間熱交換器１０７ａ、１０７ｂから流出する。中間熱交換器１０７ａ、１０７ｂから流出した２次側冷媒は、それぞれポンプ１０９ａ、１０９ｂへ流入し、再び送り出される。
【００８４】
（全暖房運転モード）
図１０は、図８の空気調和装置１００の全暖房運転モードにおける１次側冷媒及び２次側冷媒の流れを示す冷媒回路図である。以下、図１０を参照しながら、全暖房運転モードについて説明する。２次側冷媒回路における２次側冷媒の流れについて説明する。２次側冷媒の流れは全冷房運転モードと同様である。予め２次側冷媒回路において、バルブ１１２ｎａ〜１１２ｎｄを開状態とするものとする。
【００８５】
ポンプ１０９ａの駆動によって送り出された高温の２次側冷媒は、分岐して、それぞれバルブ１１２ｎａ、１１２２ａ、１１２３ａを経由した後、中間ユニット１Ｂから流出して、それぞれ対流放射式室内ユニットＣ３１の対流式室内熱交換器１０８１、対流放射式室内ユニットＣ３２の対流式室内熱交換器１０８２、及び、対流放射式室内ユニットＣ３３の対流式室内熱交換器１０８３へ流入する。また、ポンプ１０９ｂの駆動によって送り出された高温の２次側冷媒は、分岐して、それぞれバルブ１１２１ｂ、１１２２ｂ、１１２３ｂを経由した後、中間ユニット１Ｂから流出して、それぞれ対流式室内ユニットＣ１の対流式室内熱交換器１０８１、対流放射式室内ユニットＣ３２の対流式室内熱交換器１０８２、及び、対流放射式室内ユニットＣ３３の対流式室内熱交換器１０８３へ流入する。
【００８６】
対流式室内熱交換器１０８１、１０８２、１０８３へ流入した２次側冷媒は、室内空気もしくは外気を加熱して低温状態となり、それぞれ放射式室内熱交換器１１６１、１１６２、１１６３に流入する。放射式室内熱交換器１１６１、１１６２、１１６３に流入した２次側冷媒は、それぞれ対流式室内熱交換器１０８１、１０８２、１０８３において熱処理された空気及び室内空気を加熱してさらに低温の状態になり、それぞれ対流放射式室内ユニットＣ３１、Ｃ３２、Ｃ３３から流出し、中間ユニット１Ｂへ流入する。
【００８７】
放射式室内熱交換器１１６１を流出して中間ユニット１Ｂへ流入して分岐し、その一方がバルブ１１２１ｃを経由した２次側冷媒、放射式室内熱交換器１１６２を流出して中間ユニット１Ｂへ流入して分岐し、その一方がバルブ１１２２ｃを経由した２次側冷媒、及び、放射式室内熱交換器１１６３を流出して中間ユニット１Ｂへ流入して分岐し、その一方がバルブ１１２３ｃを経由した２次側冷媒は、合流して中間熱交換器１０７ａへ流入する。また、放射式室内熱交換器１１６１を流出して中間ユニット１Ｂへ流入して分岐し、その他方がバルブ１１２１ｄを経由した２次側冷媒、放射式室内熱交換器１１６２を流出して中間ユニット１Ｂへ流入して分岐し、その他方がバルブ１１２２ｄを経由した２次側冷媒、及び、放射式室内熱交換器１１６３を流出して中間ユニット１Ｂへ流入して分岐し、その他方がバルブ１１２３ｄを経由した２次側冷媒は、合流して中間熱交換器１０７ｂへ流入する。
【００８８】
中間熱交換器１０７ａ、１０７ｂへ流入した２次側冷媒は、高温状態の１次側冷媒によって加熱され、それぞれ中間熱交換器１０７ａ、１０７ｂから流出する。中間熱交換器１０７ａ、１０７ｂから流出した２次側冷媒は、それぞれポンプ１０９ａ、１０９ｂへ流入し、再び送り出される。
【００８９】
（冷房主体運転モード）
図１１は、図８の空気調和装置１００の冷房主体運転モードにおける１次側冷媒及び２次側冷媒の流れを示す冷媒回路図である。以下、図１１を参照しながら、冷房主体運転モードについて説明する。なお、図１１においては、対流放射式室内ユニットＣ３１が暖房動作を実施し、対流放射式室内ユニットＣ３２、Ｃ３３が冷房動作を実施するものとする。
【００９０】
２次側冷媒回路における２次側冷媒の流れについて説明する。予め２次側冷媒回路において、バルブ１１２１ｂ、１１２１ｄ、１１２２ａ、１１２２ｃ、１１２３ａ、１１２３ｃを開状態とし、１１２１ａ、１１２１ｃ、１１２２ｂ、１１２２ｄ、１１２３ｂ、１１２３ｄを閉状態とするものとする。
【００９１】
ポンプ１０９ａの駆動によって送り出された低温の２次側冷媒は、分岐して、それぞれバルブ１１２２ａ、１１２３ａを経由した後、中間ユニット１Ｂから流出して、それぞれ対流放射式室内ユニットＣ３２の対流式室内熱交換器１０８２、及び、対流放射式室内ユニットＣ３３の対流式室内熱交換器１０８３へ流入する。
【００９２】
対流式室内熱交換器１０８２、１０８３へ流入した２次側冷媒は、室内空気もしくは外気を冷却して高温状態となり、それぞれ放射式室内熱交換器１１６２、１１６３へ流入する。放射式室内熱交換器１１６２、１１６３へ流入した２次側冷媒は、それぞれ対流式室内熱交換器１０８２、１０８３において熱処理された空気及び室内空気を冷却してさらに高温の状態となり、それぞれ対流放射式室内ユニットＣ３２、Ｃ３３から流出し、中間ユニット１Ｂへ流入する。
【００９３】
放射式室内熱交換器１１６２を流出して中間ユニット１Ｂへ流入し、バルブ１１２２ｃを経由した２次側冷媒、及び、放射式室内熱交換器１１６３を流出して中間ユニット１Ｂへ流入し、バルブ１１２３ｃを経由した２次側冷媒は、合流して中間熱交換器１０７ａへ流入する。中間熱交換器１０７ａへ流入した２次側冷媒は、低温状態の１次側冷媒によって冷却され、中間熱交換器１０７ａから流出する。中間熱交換器１０７ａを流出した２次側冷媒は、ポンプ１０９ａへ流入し、再び送り出される。一方、ポンプ１０９ｂの駆動によって送り出された高温の２次側冷媒は、バルブ１１２１ｂを経由した後、中間ユニット１Ｂから流出して、対流放射式室内ユニットＣ３１の対流式室内熱交換器１０８１へ流入する。
【００９４】
対流式室内熱交換器１０８１へ流入した２次側冷媒は、室内空気を加熱して低温状態となり、放射式室内熱交換器１１６１へ流入する。放射式室内熱交換器１１６１へ流入した２次側冷媒は、対流式室内熱交換器１０８１において熱処理された空気及び室内空気を加熱してさらに低温の状態となり、対流放射式室内ユニットＣ３１から流出し、中間ユニット１Ｂへ流入する。
【００９５】
放射式室内熱交換器１１６１を流出して中間ユニット１Ｂへ流入し、バルブ１１２１ｄを経由した２次側冷媒は、中間熱交換器１０７ｂへ流入する。中間熱交換器１０７ｂへ流入した２次側冷媒は、高温状態の１次側冷媒によって加熱され、中間熱交換器１０７ｂから流出する。中間熱交換器１０７ｂを流出した２次側冷媒は、ポンプ１０９ｂへ流入し、再び送り出される。
【００９６】
（暖房主体運転モード）
図１２は、図８の空気調和装置１００の暖房主体運転モードにおける１次側冷媒及び２次側冷媒の流れを示す冷媒回路図である。以下、図１２を参照しながら、暖房主体運転モードについて説明する。なお、図１２においては、対流放射式室内ユニットＣ３１、Ｃ３２が暖房動作を実施し、対流放射式室内ユニットＣ３３が冷房動作を実施するものとする。
【００９７】
２次側冷媒回路における２次側冷媒の流れについて説明する。予め２次側冷媒回路において、バルブ１１２１ｂ、１１２１ｄ、１１２２ｂ、１１２２ｄ、１１２３ａ、１１２３ｃを開状態とし、１１２１ａ、１１２１ｃ、１１２２ａ、１１２２ｃ、１１２３ｂ、１１２３ｄを閉状態とするものとする。
【００９８】
ポンプ１０９ａの駆動によって送り出された低温の２次側冷媒は、バルブ１１２３ａを経由した後、中間ユニット１Ｂから流出して、対流放射式室内ユニットＣ３３の対流式室内熱交換器１０８３へ流入する。対流式室内熱交換器１０８３へ流入した２次側冷媒は、室内空気を冷却して高温状態となり、放射式室内熱交換器１１６３へ流入する。放射式室内熱交換器１１６３へ流入した２次側冷媒は、対流式室内熱交換器１０８３において熱処理された空気及び室内空気を加熱してさらに高温の状態となり、対流放射式室内ユニットＣ３１から流出し、中間ユニット１Ｂへ流入する。
【００９９】
放射式室内熱交換器１１６３を流出して中間ユニット１Ｂへ流入し、バルブ１１２３ｃを経由した２次側冷媒は、中間熱交換器１０７ａへ流入する。中間熱交換器１０７ａへ流入した２次側冷媒は、低温状態の１次側冷媒によって冷却され、中間熱交換器１０７ａから流出する。中間熱交換器１０７ａを流出した２次側冷媒は、ポンプ１０９ａへ流入し、再び送り出される。一方、ポンプ１０９ｂの駆動によって送り出された高温の２次側冷媒は、分岐して、それぞれバルブ１１２１ｂ、１１２２ｂを経由した後、中間ユニット１Ｂから流出して、それぞれ対流放射式室内ユニットＣ３１の対流式室内熱交換器１０８１、及び、対流放射式室内ユニットＣ３２の対流式室内熱交換器１０８２へ流入する。
【０１００】
対流式室内熱交換器１０８１、１０８２へ流入した２次側冷媒は、室内空気もしくは外気を加熱して低温状態となり、それぞれ放射式室内熱交換器１１６１、１１６２へ流入する。放射式室内熱交換器１１６１、１１６２へ流入した２次側冷媒は、対流式室内熱交換器１０８３において熱処理された空気及び室内空気を加熱してさらに低温の状態となり、それぞれ対流放射式室内ユニットＣ３１、Ｃ３２から流出し、中間ユニット１Ｂへ流入する。
【０１０１】
放射式室内熱交換器１１６１を流出して中間ユニット１Ｂへ流入し、バルブ１１２１ｄを経由した２次側冷媒、及び、放射式室内熱交換器１１６２を流出して中間ユニット１Ｂへ流入し、バルブ１１２２ｄを経由した２次側冷媒は、合流して中間熱交換器１０７ｂへ流入する。中間熱交換器１０７ｂへ流入した２次側冷媒は、高温状態の１次側冷媒によって加熱され、中間熱交換器１０７ｂから流出する。中間熱交換器１０７ｂを流出した２次側冷媒は、ポンプ１０９ｂへ流入し、再び送り出される。
【０１０２】
（実施形態２の効果）
上記実施形態２によれば、室内ユニットに対流式室内熱交換器１０８ｎと放射式室内熱交換器１１６ｎとを併設しているため、大きな熱負荷を処理し、かつ騒音やドラフトによる不快感の少ない空調を行うことができる。特に、冷房運転時には、対流式室内熱交換器１０８ｎで冷却することにより湿度を下げた空気を放射式室内熱交換器１１６ｎで適温にして室内へ吹出すことで、顕熱負荷だけでなく潜熱負荷も処理することができる。また、実施の形態１比べると、熱交換能力に対し、冷媒配管を少なくでき、コストを削減できる。
【０１０３】
（実施の形態２における室内ユニットの設置例）
図１３〜１５は実施の形態２に係る空気調和装置１００の対流放射式室内ユニットＣ３ｎの設置例を示す図である。図１３において、対流式室内熱交換器１０８と、放射式室内熱交換器１１６とが２次側冷媒配管によって中間ユニット１Ｂと接続されている。破線矢印は２次側冷媒の流れる方向を示し、中間ユニット１Ｂから流出した２次側冷媒が対流式室内熱交換器１０８ｎ、放射式室内熱交換器１１６ｎの順に流れ、中間ユニット１Ｂに流入する。
【０１０４】
図１３に示す設置例は、室内空気１ａが送風機１０８ａにより吸い込まれ、対流式熱交換器１０８ｎで熱交換された後に、放射式室内熱交換器１１６ｎによって熱交換されることによって、空調を行う。また、図１４に示す設置例では、外気１ｂが送風機１０８ａにより吸い込まれ、対流式熱交換器で熱交換された後に、放射式室内熱交換器１１６ｍによって熱交換されることによって、換気及び空調を行う。図１５に示す設置例では、室内空気１ａ及び外気１ｂが送風機１０８ａにより吸い込まれ、対流式熱交換器で熱交換された後に、放射式室内熱交換器１１６によって熱交換されることによって、換気及び空調を行う。外気温度及や室内の空気質により、室内空気と外気の割合を調整するようにしてもよい。これにより、顕熱冷却能力を高めることができるとともに、放射式室内熱交換器１１６ｎにおける結露の発生を防止することができる。
【０１０５】
実施の形態３．
図１６は、本発明の空気調和装置の実施形態３を示す冷媒回路図であり、図１６を参照して空気調和装置２００について説明する。なお、図１６の空気調和装置２００において図１および図８の空気調和装置１、１００と同一の構成を有する部位には同一の符号を付してその説明を省略する。図１６の空気調和装置２００が図１、図８の空気調和装置１、１００と異なる点は、種類の異なる３つの対流式室内ユニットＣ１、Ｃ２、Ｃ３が中間ユニット１Ｂに接続されている点である。
【０１０６】
具体的には、空気調和装置２００は、対流式室内熱交換器１０８１と放射式室内熱交換器１１６４の両方を備えた放射対流室内ユニットＣ３１、熱交換器として対流式室内熱交換器１０８１、１０８２のみを備えた対流式室内ユニットＣ１２、Ｃ１３、放射式室内熱交換器１１６ｍのみを備えた室内ユニットＣ２１〜２３を有している。なお、各要素の構成及び、運転モードにおける冷媒の流れについては、実施形態１及び実施形態２に準ずる。上記実施形態３によれば、１つの空調調和装置２００で、３種類の室内ユニットを設置できるため、省スペース、省エネルギーで、部屋それぞれの用途や負荷に合わせた空調を行うことができる。
【０１０７】
本発明の実施形態は上記各実施形態に限定されない。たとえば上記各実施形態において中間ユニット１Ｂ内において２つの中間熱交換器１０７ａ、１０７ｂが設けられている場合について例示しているが、２台以上設けたものであってもよい。
【０１０８】
また、図１３〜図１５において、これに限られず、放射式室内熱交換器はいわゆるアクティブチルドビームであってもよいし、パッシブチルドビームであってよい。
【符号の説明】
【０１０９】
１、１００、２００  空気調和装置、１Ａ  室外ユニット、１Ｂ、１００Ｂ  中間ユニット、２  １次側冷媒回路、３  ２次側冷媒回路、１０３  圧縮機、１０４  熱源側熱交換器、１０４ａ  ファン、１０５ａ、１０５ｂ  絞り機構、１０６  第１流路切替器、１０７ａ、１０７ｂ  中間熱交換器、１０８ｎ  対流式室内熱交換器、１０８ｎａ  送風機、１０９ａ、１０９ｂ  ポンプ、１１１ａ−１１１ｆ  バルブ（流路切替器）、１１２ｎａ  バルブ、１１２ｎｂ  バルブ、１１２ｎｃ  バルブ、１１２ｎｄ  バルブ、１１３ａ−１１３ｄ  逆止弁、１１５ｍａ  バルブ、１１５ｍｂ  バルブ、１１５ｍｃ  バルブ、１１５ｍｄ  バルブ、１１６  放射式室内熱交換器、１１６ｎ  放射式室内熱交換器、Ｃ１ｎ  対流式室内ユニット、Ｃ２ｍ  放射式室内ユニット、Ｃ３  対流放射式室内ユニット。
【図１】
2014024276.tif 000003
【図２】
2014024276.tif 000004
【図３】
2014024276.tif 000005
【図４】
2014024276.tif 000006
【図５】
2014024276.tif 000007
【図６】
2014024276.tif 000008
【図７】
2014024276.tif 000009
【図８】
2014024276.tif 000010
【図９】
2014024276.tif 000011
【図１０】
2014024276.tif 000012
【図１１】
2014024276.tif 000013
【図１２】
2014024276.tif 000014
【図１３】
2014024276.tif 000015
【図１４】
2014024276.tif 000016
【図１５】
2014024276.tif 000017
【図１６】
2014024276.tif 000018
【手続補正書】
【提出日】平成26年10月20日(2014.10.20)
【手続補正１】
【補正対象書類名】明細書
【補正対象項目名】０００７
【補正方法】変更
【補正の内容】
【０００７】
本発明の空気調和装置は、１次側冷媒を圧縮する圧縮機と、空気と前記１次側冷媒との間で熱交換を行う熱源側熱交換器とを備えた室外ユニットと、空気と２次側冷媒との間で熱交換を行う室内熱交換器を備えた複数の室内ユニットと、室外ユニットに１次側冷媒配管により接続されているとともに前記室内ユニットに２次側冷媒配管により接続された、前記１次側冷媒と前記２次側冷媒との間で熱交換を行う複数の中間熱交換器と、各室内ユニットと前記各中間熱交換器との接続の組み合わせを切り替える流路切替器と、を有し、複数の室内ユニットには、対流式室内熱交換器を備えた対流式室内ユニットと、放射式室内熱交換器のみを備えた放射式室内ユニットとが含まれ、冷房運転時に前記対流式室内ユニットを流出した前記２次側冷媒が前記放射式室内ユニットに流入し、前記２次側冷媒が前記対流式室内熱交換器の熱交換により温度上昇した後に前記放射式室内熱交換器に供給されるものである。
【手続補正２】
【補正対象書類名】明細書
【補正対象項目名】００４２
【補正方法】変更
【補正の内容】
【００４２】
中間ユニット１Ｂへ流入した気液二相状態の１次側冷媒は、バルブ１１１ｂを経由して、中間熱交換器１０７ｂへ流入し、２次側冷媒を加熱することによってさらに凝縮する。中間熱交換器１０７ｂを流出した１次側冷媒は、絞り機構１０５ｂ及び絞り機構１０５ａへ経由することによって膨張及び減圧されて低温低圧の気液二相状態となり、中間熱交換器１０７ａへ流入する。中間熱交換器１０７ａへ流入した気液二相状態の１次側冷媒は、２次側冷媒から吸熱し、蒸発して低温低圧のガス状態となる。中間熱交換器１０７ａから流出した低温低圧のガス状態の１次側冷媒は、バルブ１１１ｃを経由して、中間ユニット１Ｂから流出し、室外ユニット１Ａへ流入する。室外ユニット１Ａへ流入したガス状態の１次側冷媒は、逆止弁１１３ａ及び第１流路切替器１０６を経由して圧縮機１０３へ吸入され、再び圧縮される。
【手続補正３】
【補正対象書類名】明細書
【補正対象項目名】００５６
【補正方法】変更
【補正の内容】
【００５６】
低温低圧のガス状態の１次側冷媒は、圧縮機１０３によって圧縮され、高温高圧状態となって吐出され、第１流路切替器１０６及び逆止弁１１３ｃを経由して、室外ユニット１Ａから流出し、中間ユニット１Ｂへ流入する。中間ユニット１Ｂへ流入した高温高圧状態の１次側冷媒は、バルブ１１１ｂを経由して、中間熱交換器１０７ｂへ流入し、１次側冷媒へ放熱し、一部又は全部が凝縮して気液二相状態又は液状態となる。中間熱交換器１０７ｂを流出した２次側冷媒は、絞り機構１０５ｂ及び絞り機構１０５ａへ経由することによって、膨張及び減圧されて、低温低圧の気液二相状態となり、中間熱交換器１０７ａへ流入する。中間熱交換器１０７ａへ流入した気液二相状態の１次側冷媒は、２次側冷媒から吸熱し、一部が蒸発する。中間熱交換器１０７ａから流出した１次側冷媒は、バルブ１１１ｃを経由して、中間ユニット１Ｂから流出し、室外ユニット１Ａへ流入する。室外ユニット１Ａへ流入した１次側冷媒は、逆止弁１１３ｄを経由して、熱源側熱交換器１０４へ流入し、室外空気から吸熱し、蒸発して低温低圧のガス状態となり、第１流路切替器１０６を経由して、圧縮機１０３へ吸入され、再び圧縮される。
【手続補正４】
【補正対象書類名】特許請求の範囲
【補正対象項目名】全文
【補正方法】変更
【補正の内容】
【特許請求の範囲】
【請求項１】
１次側冷媒を圧縮する圧縮機と、空気と前記１次側冷媒との間で熱交換を行う熱源側熱交換器とを備えた室外ユニットと、
空気と２次側冷媒との間で熱交換を行う室内熱交換器を備えた複数の室内ユニットと、
前記室外ユニットに１次側冷媒配管により接続されているとともに前記室内ユニットに２次側冷媒配管により接続された、前記１次側冷媒と前記２次側冷媒との間で熱交換を行う複数の中間熱交換器と、
前記各室内ユニットと前記各中間熱交換器との接続の組み合わせを切り替える流路切替器と、
を有し、
前記複数の室内ユニットには、対流式室内熱交換器を備えた対流式室内ユニットと、放射式室内熱交換器のみを備えた放射式室内ユニットとが含まれ、
冷房運転時に前記対流式室内ユニットを流出した前記２次側冷媒が前記放射式室内ユニットに流入し、前記２次側冷媒が前記対流式室内熱交換器の熱交換により温度上昇した後に前記放射式室内熱交換器に供給されることを特徴とする空気調和装置。
【請求項２】
前記複数の室内ユニットにおいて複数の前記対流式室内ユニットが並列に接続され、
複数の前記対流式室内ユニットを流出した前記２次側冷媒が合流した後前記放射式室内ユニットへ流入することを特徴とする請求項１に記載の空気調和装置。
【請求項３】
前記複数の室内ユニットにおいて複数の前記放射式室内ユニットが並列に接続され、
複数の前記対流式室内ユニットを流出した前記２次側冷媒が合流した後、分岐して複数の前記放射式室内ユニットへ流入することを特徴とする請求項２に記載の空気調和装置。
【請求項４】
前記室内ユニット及び前記室内ユニットとは別筐体として、前記複数の熱交換器及び前記流路切替器を備える中間ユニットを有し、
前記対流式室内ユニットを流出した前記２次側冷媒は前記中間ユニットに流入した後に前記流路切替器を経由した後、前記中間ユニットを流出して、前記放射式室内ユニットに流入することを特徴とする請求項１〜３のいずれか１項に記載の空気調和装置。
【請求項５】
複数の前記対流式室内ユニットをバイパスして前記放射式室内ユニットへ前記２次側冷媒を供給するための配管及び弁を有することを特徴とする請求項１〜４のいずれか１項に記載の空気調和装置。
【請求項６】
前記複数の対流式室内熱交換器をバイパスして複数の前記放射式室内ユニットへ前記２次側冷媒を供給するための配管及び弁と、複数の前記放射式室内ユニットをバイパスするための配管及び弁との両方を有することを特徴とする請求項１〜５のいずれか１項に記載の空気調和装置。
【請求項７】
前記複数の中間熱交換器に接続された前記１次側冷媒の流路の途中に絞り機構と流路切替機構とを有し、前記流路切替機構が前記中間熱交換器間を流れる前記１次側冷媒を前記絞り機構を経由して流れる状態に切り替え、前記２次側冷媒に放熱する中間熱交換器と吸熱する中間熱交換器とが混在する状態とすることを特徴とする請求項１〜６のいずれか１項に記載の空気調和装置。
【手続補正書】
【提出日】平成27年2月20日(2015.2.20)
【手続補正１】
【補正対象書類名】明細書
【補正対象項目名】０００７
【補正方法】変更
【補正の内容】
【０００７】
本発明の空気調和装置は、１次側冷媒を圧縮する圧縮機と、空気と１次側冷媒との間で熱交換を行う熱源側熱交換器とを備えた室外ユニットと、空気と２次側冷媒との間で熱交換を行う室内熱交換器を備えた複数の室内ユニットと、室外ユニットに１次側冷媒配管により接続されているとともに室内ユニットに２次側冷媒配管により接続された、１次側冷媒と２次側冷媒との間で熱交換を行う複数の中間熱交換器と、各室内ユニットと各中間熱交換器との接続の組み合わせを切り替える流路切替器と、を有し、複数の室内ユニットには、対流式室内熱交換器を備えた対流式室内ユニットと、放射式室内熱交換器のみを備えた放射式室内ユニットとが含まれ、冷房運転時に対流式室内ユニットを流出した２次側冷媒が放射式室内ユニットに流入し、２次側冷媒が対流式室内熱交換器の熱交換により温度上昇した後に放射式室内熱交換器に供給されるものであり、複数の室内ユニットにおいて、複数の対流式室内ユニットが並列に接続され、複数の放射式室内ユニットが並列に接続され、複数の対流式室内ユニットを流出した２次側冷媒が合流した後、分岐して複数の放射式室内ユニットへ流入するものである。
【手続補正２】
【補正対象書類名】特許請求の範囲
【補正対象項目名】全文
【補正方法】変更
【補正の内容】
【特許請求の範囲】
【請求項１】
１次側冷媒を圧縮する圧縮機と、空気と前記１次側冷媒との間で熱交換を行う熱源側熱交換器とを備えた室外ユニットと、
空気と２次側冷媒との間で熱交換を行う室内熱交換器を備えた複数の室内ユニットと、
前記室外ユニットに１次側冷媒配管により接続されているとともに前記室内ユニットに２次側冷媒配管により接続された、前記１次側冷媒と前記２次側冷媒との間で熱交換を行う複数の中間熱交換器と、
前記各室内ユニットと前記各中間熱交換器との接続の組み合わせを切り替える流路切替器と、
を有し、
前記複数の室内ユニットには、対流式室内熱交換器を備えた対流式室内ユニットと、放射式室内熱交換器のみを備えた放射式室内ユニットとが含まれ、
冷房運転時に前記対流式室内ユニットを流出した前記２次側冷媒が前記放射式室内ユニットに流入し、前記２次側冷媒が前記対流式室内熱交換器の熱交換により温度上昇した後に前記放射式室内熱交換器に供給されるものであり、
前記複数の室内ユニットにおいて、複数の前記対流式室内ユニットが並列に接続され、複数の前記放射式室内ユニットが並列に接続され、
複数の前記対流式室内ユニットを流出した前記２次側冷媒が合流した後、分岐して複数の前記放射式室内ユニットへ流入することを特徴とする空気調和装置。
【請求項２】
１次側冷媒を圧縮する圧縮機と、空気と前記１次側冷媒との間で熱交換を行う熱源側熱交換器とを備えた室外ユニットと、
空気と２次側冷媒との間で熱交換を行う室内熱交換器を備えた複数の室内ユニットと、
前記室外ユニットに１次側冷媒配管により接続されているとともに前記室内ユニットに２次側冷媒配管により接続された、前記１次側冷媒と前記２次側冷媒との間で熱交換を行う複数の中間熱交換器と、
前記各室内ユニットと前記各中間熱交換器との接続の組み合わせを切り替える流路切替器と、
を有し、
前記複数の室内ユニットには、対流式室内熱交換器を備えた対流式室内ユニットと、放射式室内熱交換器のみを備えた放射式室内ユニットとが含まれ、
冷房運転時に前記対流式室内ユニットを流出した前記２次側冷媒が前記放射式室内ユニットに流入し、前記２次側冷媒が前記対流式室内熱交換器の熱交換により温度上昇した後に前記放射式室内熱交換器に供給されるものであり、
前記室内ユニット及び前記室内ユニットとは別筐体として、前記複数の熱交換器及び前記流路切替器を備える中間ユニットを有し、
前記対流式室内ユニットを流出した前記２次側冷媒は前記中間ユニットに流入した後に前記流路切替器を経由した後、前記中間ユニットを流出して、前記放射式室内ユニットに流入することを特徴とする空気調和装置。
【請求項３】
複数の前記対流式室内ユニットをバイパスして前記放射式室内ユニットへ前記２次側冷媒を供給するための配管及び弁を有することを特徴とする請求項１又は２に記載の空気調和装置。
【請求項４】
前記複数の対流式室内熱交換器をバイパスして複数の前記放射式室内ユニットへ前記２次側冷媒を供給するための配管及び弁と、複数の前記放射式室内ユニットをバイパスするための配管及び弁との両方を有することを特徴とする請求項１〜３のいずれか１項に記載の空気調和装置。
【請求項５】
前記複数の中間熱交換器に接続された前記１次側冷媒の流路の途中に絞り機構と流路切替機構とを有し、前記流路切替機構が前記中間熱交換器間を流れる前記１次側冷媒を前記絞り機構を経由して流れる状態に切り替え、前記２次側冷媒に放熱する中間熱交換器と吸熱する中間熱交換器とが混在する状態とすることを特徴とする請求項１〜４のいずれか１項に記載の空気調和装置。
【国際調査報告】
2014024276.tif 000019
2014024276.tif 000020
2014024276.tif 000021
2014024276.tif 000022